(57)【要約】【課題】  例えば歩道板等、連続して設置されるブロックの相接する端面相互を確実、堅固、且つ迅速に固定して接合する方法を提供する。【解決手段】  相隣る端面２相互を位置決めして接合すべく、相接する端面２，２の回転対称位置で、両端面２，２に設けた凹陥面２ａと凸部８を凹凸嵌合する。或いは又、凹凸嵌合時に、相隣る端面２相互間に目地代１６を形成すべく、凸部８の突設度合いを凹陥面２ａの凹設度合いよりも大きく設定し、前記目地代１６に既製の目地材１７を設ける。【選択図】  図２
2005139898.tif 000002
【特許請求の範囲】
【請求項１】
相隣る端面（２）相互を位置決めして接合すべく、相接する端面（２），（２）の回転対称位置で、両端面（２），（２）に設けた凹陥面（２ａ）と凸部（８）が凹凸嵌合することを特徴とする端面相互の接合方法。
【請求項２】
前記凹凸嵌合時に、相隣る端面（２）相互間に目地代（１６）を形成すべく、凸部（８）の突設度合いが凹陥面（２ａ）の凹設度合いよりも大きく設定され、前記目地代（１６）に既製の目地材（１７）が設けられる請求項１記載の端面相互の接合方法。
【発明の詳細な説明】
【技術分野】
【０００１】  本発明は、端面相互の接合方法に関し、より詳しくは、例えて歩道板等、連続して設置されるブロックの相接する端面に設けた凹陥面と凸部の凹凸嵌合をもって、相隣る端面相互を確実、且つ堅固に接合する方法に関する。
【背景技術】
【０００２】  従来、床面又は歩行面を地表部に形成する際には、コンクリート平板やタイル等の板状体によって必要部分の地表面を被覆し、且つ板状体相互間に目地モルタル等の接合材を別途充填せしめてその一体性を確保しようとしている。
【発明の開示】
【発明が解決しようとする課題】
【０００３】  しかしながら、上記別途施工する接合材は、その充填に手間が掛かり、且つ硬化待ち等養生期間を要するとともに、かかる接合材のみでは地表面の不等沈下等による変形に板状体が追随して床面又は歩行面等に不陸が生じる。従って、かかる床面又は歩行面等の施工が長期化するといった問題点があった。
本発明は、上記の如き従来の問題点に鑑みてなされたもので、例えて歩道板等、連続して設置されるブロックの相接する端面相互を確実、堅固、且つ迅速に固定して接合する方法を提供することを課題とする。
【課題を解決するための手段】
【０００４】  上記課題を解決するため、本発明に係る端面相互の接合方法は、請求項１記載の如く、相隣る端面２相互を位置決めして接合すべく、相接する端面２，２の回転対称位置で、両端面２，２に設けた凹陥面２ａと凸部８が凹凸嵌合することを特徴とする。【０００５】  又、本発明に係る端面相互の接合方法は、請求項２記載の如く、請求項１記載の端面相互の接合方法における凹凸嵌合時に、相隣る端面２相互間に目地代１６を形成すべく、凸部８の突設度合いが凹陥面２ａの凹設度合いよりも大きく設定され、前記目地代１６に既製の目地材１７が設けられる構成を採用することができる。
【発明の効果】
【０００６】  本発明に係る端面相互の接合方法は、相隣る端面相互を位置決めして接合すべく、相接する端面の回転対称位置で、両端面に設けた凹陥面と凸部が凹凸嵌合するために、凸部と凹凸嵌合すべき凹部を凹陥面と兼用的に形成するとともに、凸部と凹部（凹陥面）とが相隣る端面相互間において回転対称位置、即ち、一の接合部に二箇所の凹凸嵌合部を互いが出入り状となるべく設けているので、例え凸部又は凹部（凹陥面）の何れか一が欠如しても残存せる他所の凹凸嵌合部で上下方向での位置決めが可能となり、相隣る端面相互を堅固に接合して、相互のブロックが上下、左右へ移動するのを防止することができる。【０００７】  又、本発明に係る端面相互の接合方法は、凹凸嵌合時に、相隣る端面相互間に目地代を形成すべく、凸部の突設度合いが凹陥面の凹設度合いよりも大きく設定され、前記目地代に既製の目地材が設けられるために、凸部を凹陥面（凹部）に突き合わすのみで両端面間に規定幅の目地代を自動的に確保できるとともに、かかる規定幅と近似厚みとなした既製の目地材を前記目地代に介在させるだけで養生期間等を要せず簡単、速やかに接合作業を済ますことができ、上記凹陥面（凹部）と凸部の凹凸嵌合と相まって、相隣る端面相互を正確、美麗、堅固、且つ迅速に固定することができる。
【発明を実施するための最良の形態】
【０００８】  以下、本発明の実施の形態を、図面を参酌しつつ説明する。
図１（イ）乃至（ホ）は、本発明の端面相互の接合方法の一実施の形態に実施される歩道板１を示し、以下、図中のＸ−Ｘ方向を歩道板１の長さ方向、又、Ｙ−Ｙ方向を歩道板１の幅方向と称する。
当該歩道板１は、平面視長方形をなす板状体の長さ方向にわたる両辺の下位に外突部３を設けて相隣る他の歩道板１と接合すべき端面２を略凸形（側面視）となし、両外突部３，３の上面付根部に凹溝状の導水部４を長さ方向にわたり夫々設けてなる。
又、前記側面視略凸形をなす両端面２，２にあって、その上縁と該上縁両端から少許垂下する両側縁に沿うことで略逆凹型を呈する部分、並びに下位両側において端部寄りの下縁と該下縁から外突部３の外縁に沿うことで略Ｌ型又は略逆Ｌ型を呈する部分を夫々当接面６に形成すべく、残余が該当接面６より凹陥せる凹陥面２ａに形成されてなる。
ここで、前記導水部４の両端部４ａは、該導水部４の底面４ｂを段状に更に凹陥させた凹段部４ｃを介して凹陥面２ａと夫々連設するとともに、端面２の上位において、略逆凹型をなす当接面６に囲繞される部分の略半分を凹陥面２ａから突設して当接面６より長さ方向に外突する凸部８に形成し、残る略半分部分を凹陥面２ａと同面の凹部１４となす。而して、かかる凸部８と凹部１４は、平面視における歩道板１の略中心に対し左右の端面２，２に点対称位置で設けられ、且つその突設又は凹設度合いは、当接面６を基準として略同一に形成されてなる。
尚、上記歩道板１の裏面側には空所１０が設けられ、その底部３ａが底面視額縁状を呈するとともに、長さ方向における底部３ａには通水孔７が２個設けられてなる。【０００９】  次に、前記歩道板１の設置例をその接合方法と共に、図２（イ）乃至（ハ）に基づいて説明すると、前記歩道板１の端面２を相隣る他の歩道板１の端面２に接合させて連設すると、相互の各当接面６が相接し該各当接面６より凹設せる凹陥面２ａの相互間に空隙部５が形成されるとともに、凹部１４と凸部８が相接する端面２，２の回転対称位置で夫々凹凸嵌合し、歩道板１の上面１３同士が連続することで歩行面が形成される。
すると、端面２，２の回転対称位置で出入り状に凹凸嵌合する凸部８と凹部１４即ち、凸部８の上縁８ａと凹部１４の上縁１４ａとの競り合いにより、何れか一の歩道板１が沈下しようとする際には、回転対称位置にある一方の凸部８の上縁８ａが凹部１４の上縁１４ａを支承し、又、何れか一の歩道板１が浮上しようとする際には一方の凹部１４の上縁１４ａが凸部８の上縁８ａを押さえ込む。
従って、連続せる歩道板１相互は、夫々凹凸嵌合されてなるため、連結に際する通り、高さ調整等の位置決めが接合材を用いずして容易、且つ迅速に行えるとともに、連結後は堅固な凹凸嵌合によって不等沈下等に起因する歩道板１相互の不陸発生を未然に防止することができる。
尚、図２（ハ）において、Ｇは地表面、１１′は歩道板１の下方に設けてもよいＵ形こうを示す。
尚又、図３に示す如く、歩道板１は、前記図１に示した歩道板１における一方の外突部３をその付根部で長さ方向に切除して直壁状端面２′としたものであってもよい。【００１０】  図４は、前記歩道板１の変形例に係る歩道板１′を示し、当該歩道板１′は同図（イ）乃至（ハ）に示すように、略凸型をなして相隣る歩道板１と接合すべき端面２に凸部８と凹部１４とを隣接せしめ、残余の壁面を当接面６となすものであり、その設置にあっては歩道板１′の端面２を相隣る他の歩道板１′の端面２に接合させて連設すると、相互の当接面６が相接すると同時に、相互の凸部８及び凹部１４が相接する端面２，２の回転対称位置で凹凸嵌合するために、各歩道板１′は上下、左右にずれ動くようなことがない。
又、同図（ニ）及び（ホ）に示す如く、当該歩道板１′の端面２に前出の図１に示す歩道板１の端面２を接合せしめることもできる。【００１１】  図５（イ）乃至（ニ）は、本発明の端面相互の接合方法の他実施の形態を示し、当該接合方法は、流水断面をＵ字型となす所謂Ｕ形こう１１′に実施されるべく、相隣るＵ形こう１１′と接合すべき端面２の水平部位下縁に、端面２から突設せる凸部８と端面２から凹陥せる凹部１４（凹陥面２ａ）とを側面視横一文字状に隣接させて設けるとともに、該凸部８と凹部１４は平面視におけるＵ形こう１１′の略中心に対し、端面２，２に点対称位置で設けられてなる。
而して、上記Ｕ形こう１１′の端面２を相隣る他のＵ形こう１１′の端面２に接合させて連設すると、端面２，２の回転対称位置で出入り状に凹凸嵌合する凸部８と凹部１４、即ち、凸部８の上縁８ａと凹陥面２ａをなす凹部１４の上縁１４ａとの競り合いによりＵ形こう１１′が沈下しようとする際には、回転対称位置にある一方の凸部８の上縁８ａが凹部１４の上縁１４ａを支承し、又、Ｕ形こう１１′が浮上しようとする際には、他方の凹部１４の上縁１４ａが凸部８の上縁８ａを押さえ込む。
即ち、かかる接合方法によれば凸部８及び凹部１４が端面２の下縁にあってその突出面若しくは凹陥面２ａが底部３ａと直接的に連設し、その下側における嵌合が欠如しても、上記競り合いによりＵ形こう１１′相互の不陸や蛇行を未然に防止できることとなる。従って、当該接合方法は、肉厚が薄い部分への実施に適するといえる。
尚、当該実施形態にあっては、底部３ａと連設する部分で凹凸嵌合する凸部８の突設面と凹部１４の凹陥面２ａ間とに砂や小砂利が噛み込まないようその下端縁に面取り部１５を設けてなるが、かかる面取り部１５を設けるか否かは自由である。又、凸部８及び凹部１４を隣接させて端面２の下縁に設けた構成も限定されず、例えて凸部８と凹部１４を端面２の上縁や側縁に設けることもでき、或いは、図６（イ）及び（ロ）に示すように、適宜形状の凸部８と凹部１４を離隔させて設けることも可能である。【００１２】  図７（イ）乃至（ト）は、端面相互の接合方法の他実施の形態を示し、当該接合方法は断面略Ｌ形の板状体からなる道路用等のＬ形ブロック３１に実施されるべく、上記Ｕ形こう１１′と同様の凸部８と凹部１４（凹陥面２ａ）とを端面２の下縁でその幅方向に行きわたらさせ、平面視におけるＬ形ブロック３１の略中心に対し、夫々の端面２，２に点対称位置で設けるとともに、凸部８の突設度合いが凹陥面２ａをなす凹部１４の凹設度合いよりも大きく設定されてなる。
又、かかる突設及び凹設度合いの差と近似する厚みを有するとともに、その側面形状が凸部８及び凹部１４より上側の端面２形状に相応した略Ｌ形となされた弾性体、粘着体、多孔体等からなる既製の目地材１７が別途成型されてなる。
而して、上記Ｌ形ブロック３１の端面２を相隣る他のＬ形ブロック３１の端面２に突き合わすと、端面２，２の回転対称位置で凸部８と凹部１４とが夫々凹凸嵌合すると同時に、上記凸部８と凹部１４の突設及び凹設度合いの差異により、相隣る端面２の相互間に目地代１６が形成され、該目地代１６に上記既製の目地材１７を介在せしめて相隣るＬ形ブロック３１相互を連設する。
即ち、かかる接合方法によれば、凸部８を凹部１４（凹陥面２ａ）に突き合わすのみで端面２，２間に規定の目地代１６を自動的に確保できるとともに、該目地代１６を既製の目地材１７で充足するだけで、従来の如き手間や養生期間等を要せず、簡単、速やかに接合作業を済ませることができて、上記凸部８と凹部１４（凹陥面２ａ）の凹凸嵌合と相まって端面２，２相互を正確、美麗、堅固、且つ迅速に固定することができる。
尚、上記既製の目地材１７の側面形状は一例で、例えて図７（チ）に示す如く、上記Ｌ形ブロック３１における端面２の上方寄りに補助凸部８′を適宜形状で適宜位置に設けることにより、目地材１７の側面形状をＬ形ブロック３１の上縁に沿う略帯状となしてその使用量を減ずることもできる。【００１３】  又、図８（イ）乃至（ト）は、上記接合方法の変形例を示し、当該接合方法は断面略台形の棒状体からなる道路用等の境界ブロック４１に実施されるべく、側面視において端面２が境界ブロック４１の外郭に沿い縁取り状に残置されるとともに、その内側を充足する如く凸部８と凹部１４（凹陥面２ａ）が、夫々縦長状に並列して設けられるとともに、平面視における境界ブロック４１の略中心に対し、端面２，２に点対称位置で設けられ、且つ別途成型される目地材１７が前記端面２と同形状の枠状となされている。
かかる境界ブロック４１及び目地材１７による接合によれば、端面２，２にあって互いに突き合わされる凸部８と凹部１４（凹陥面２ａ）とが比較的大きな面積を有して凹凸嵌合してなるため、該突き合わせ部に衝撃等が加わっても、凸部８と凹部１４（凹陥面２ａ）が欠損することがない堅固な接合を可能となすとともに、端面２，２間に介在せる目地材１７が凸部８に外嵌されて位置ずれを生じないという利点もある。【００１４】  更に、実施の形態として歩道板１，１′、Ｕ形こう１１′、Ｌ形ブロック３１及び境界ブロック４１を例示したが、上記接合方法の実施品はこれらに限定されるものではなく、その端面相互が接合されて複数個列設使用されるもの全てに実施できる。
【図面の簡単な説明】
【００１５】
【図１】  本発明の端面相互の接合方法の一実施の形態に用いる歩道板を示し、（イ）は正面図（一部、（ロ）のＡ−Ａ断面図、（ロ）は平面図、（ハ）は側面図、（ニ）は（イ）のＢ−Ｂ断面図、（ホ）は（ロ）のＮ−Ｎ拡大断面図。
【図２】  図１の歩道板の接合方法及び設置例を示し、（イ）は一部平面図、（ロ）は（イ）のＣ−Ｃ拡大断面図、（ハ）は同Ｄ−Ｄ拡大断面図。
【図３】  図１の歩道板の変形例を示す側面図。
【図４】  図１の歩道板の変形例を示し、（イ）は一部正面図、（ロ）は同平面図、（ハ）は側面図、（ニ）は接合例を示す一部平面図、（ホ）は（ニ）のＩ−Ｉ拡大断面図。
【図５】  本発明の端面相互の接合方法の他実施の形態を示し、（イ）はＵ形こうの正面図（一部、（ロ）のＬ−Ｌ断面図）、（ロ）は同平面図、（ハ）は同側面図、（ニ）は接合状態を示す一部断面図。
【図６】  本発明の端面相互の接合方法の他実施の形態に用いる他のＵ形こうを示し、（イ）は平面図、（ロ）は側面図。
【図７】  本発明の端面相互の接合方法の他実施の形態を示し、（イ）はＬ形ブロックの正面図、（ロ）は同平面図、（ハ）は同左側面図、（ニ）は接合状態を示す一部断面図、（ホ）は（ニ）のＰ−Ｐ断面図、（ヘ）は目地材の側面図、（ト）は同正面図、（チ）は他のＬ形ブロック及び目地材の側面図。
【図８】  本発明の端面相互の接合方法の他実施の形態を示し、（イ）は境界ブロックの正面図（一部、（ロ）のＱ−Ｑ断面図）、（ロ）は同平面図、（ハ）は同側面図、（ニ）は目地材の側面図、（ホ）は（ニ）のＲ−Ｒ断面図、（ヘ）は目地材を装着した境界ブロックの一部正面図、（ト）は接合状態を示す一部断面図。
【符号の説明】
【００１６】  １，１′  歩道板
２，２′  端面
２ａ  凹陥面
３  外突部
４  導水部
５  空隙部
６  当接面
８  凸部
８ａ，１４ａ  上縁
１１′  Ｕ形こう
１４  凹部
１６  目地代
１７  目地材
３１  Ｌ形ブロック
４１  境界ブロック
【図１】
2005139898.tif 000003
【図２】
2005139898.tif 000004
【図３】
2005139898.tif 000005
【図４】
2005139898.tif 000006
【図５】
2005139898.tif 000007
【図６】
2005139898.tif 000008
【図７】
2005139898.tif 000009
【図８】
2005139898.tif 000010